【手続補正書】
【提出日】平成28年2月23日(2016.2.23)
【手続補正１】
【補正対象書類名】特許請求の範囲
【補正対象項目名】全文
【補正方法】変更
【補正の内容】
【特許請求の範囲】
【請求項１】
ビデオデータを復号するための方法であって、
複数のビューのうちの第１のビュー内のピクチャ内の領域に対する動きベクトルが、視差動きベクトルであるかどうかを決定することと、前記領域が予測されるべき現在ブロックに隣接し、前記領域が１つ以上のブロックを含み、前記領域に対する前記動きベクトルが１つの参照ピクチャリストに対する前記１つ以上のブロックに対する単一の動きベクトルを表し、前記動きベクトルが第２の異なるビュー内のピクチャを指し示せば、前記領域に対する前記動きベクトルが前記視差動きベクトルであり、
予測されるべき前記現在ブロックに対する視差ベクトルを決定することと、前記ピクチャ内の前記領域に対する前記動きベクトルが視差動きベクトルであるものと決定することに応答して、前記領域に対する前記視差動きベクトルを前記現在ブロックに対する前記視差ベクトルとして設定することと、
前記現在ブロックをインター予測復号することとを備え、ここにおいて、前記復号することが、前記現在ブロックに対する決定された前記視差ベクトルを使用する、方法。
【請求項２】
前記視差ベクトルが指すブロックを決定することと、
前記視差ベクトルが指す前記ブロックに対する動きベクトルを決定することと、
候補動きベクトル予測子のリストに、前記視差ベクトルが指す前記ブロックに対する前記動きベクトルを含めることとを更に備え、
前記現在ブロックをインター予測復号することが、前記視差ベクトルが指す前記ブロックに対する前記動きベクトルがマージモード又は拡張型動きベクトル予測（ＡＭＶＰ）モードの一部分として候補動きベクトル予測子の前記リストから選択されるとき、前記視差ベクトルが指す前記ブロックに対する前記動きベクトルに基づいて前記現在ブロックをインター予測復号することを備える、請求項１に記載の方法。
【請求項３】
ビデオデータを符号化するための方法であって、
複数のビューのうちの第１のビュー内のピクチャ内の領域に対する動きベクトルが、視差動きベクトルであるかどうかを決定することと、前記領域が予測されるべき現在ブロックに隣接し、前記領域が１つ以上のブロックを含み、前記領域に対する前記動きベクトルが１つの参照ピクチャリストに対する前記１つ以上のブロックに対する単一の動きベクトルを表し、前記動きベクトルが第２の異なるビュー内のピクチャを指し示せば、前記領域に対する前記動きベクトルが前記視差動きベクトルであり、
予測されるべき前記現在ブロックに対する視差ベクトルを決定することと、前記ピクチャ内の前記領域に対する前記動きベクトルが視差動きベクトルであるものと決定することに応答して、前記領域に対する前記視差動きベクトルを前記現在ブロックに対する前記視差ベクトルとして設定することと、
前記現在ブロックをインター予測復号することとを備え、ここにおいて前記符号化することが、前記現在ブロックに対する決定された前記視差ベクトルを使用する、方法。
【請求項４】
前記第１のビュー内の前記ピクチャ内の前記領域に対する前記動きベクトルが視差動きベクトルであるかどうかを決定することが、前記現在ブロックに空間的に隣接する、空間的隣接領域に対する前記動きベクトルが前記視差動きベクトルであるかどうかを決定することを備え、前記ピクチャが、前記空間的隣接領域を含み、前記現在ブロックを含む、請求項1又は３に記載の方法。
【請求項５】
前記空間的隣接領域が、２つの４×４ブロックを含む１つの８×４領域を備える、請求項４に記載の方法。
【請求項６】
前記第１のビュー内の前記ピクチャ内の前記領域に対する前記動きベクトルが視差動きベクトルであるかどうかを決定することが、前記現在ブロックに時間的に隣接する、時間的隣接領域に対する前記動きベクトルが前記視差動きベクトルであるかどうかを決定することを備え、前記ピクチャが、前記時間的隣接領域を含み、前記現在ブロックを含まない、請求項１又は３に記載の方法。
【請求項７】
前記時間的隣接領域が、１６の４×４ブロックを含む１つの１６×１６領域を備える、請求項６に記載の方法。
【請求項８】
前記領域に対する前記動きベクトルが、前記領域に隣接するブロックの視差動きベクトルから導出されるとき、前記領域が内在視差予測領域であるものと決定することと、
前記領域が前記内在視差予測領域であるものと決定することに応答して、前記領域に隣接する前記ブロックの前記視差動きベクトルが、前記現在ブロックに対する前記視差ベクトルであるかどうかを決定することとを更に備え、
前記領域に対する前記視差動きベクトルが前記現在ブロックに対する前記視差ベクトルでない場合、前記符号化することが、前記領域に隣接する前記ブロックの前記視差動きベクトルが前記現在ブロックに対する前記視差ベクトルであるものと決定される場合、前記現在ブロックに対する前記視差ベクトルとして前記領域に隣接する前記ブロックに対する前記視差動きベクトルを使用する、請求項１又は３に記載の方法。
【請求項９】
前記視差ベクトルが指し示すブロックを決定することを更に備え、
前記現在ブロックをインター予測符号化することが、前記現在ブロックの残差情報をインター予測するために、決定された前記ブロックの残差情報を使用することを備える、請求項１又は３に記載の方法。
【請求項１０】
前記視差動きベクトルを変更することと、
前記現在ブロックに対する候補動きベクトル予測子のリストに、変更された前記視差動きベクトルを含めることとを更に備える、請求項１又は３に記載の方法。
【請求項１１】
前記視差動きベクトルを変更することが、前記視差動きベクトルのｙ成分をゼロに等しく設定することを備える、請求項１０に記載の方法。
【請求項１２】
前記現在ブロックが、瞬時デコーダリフレッシュ（ＩＤＲ）ピクチャ又はクリーンランダムアクセス（ＣＲＡ）ピクチャの前記現在ブロックである、請求項１又は３に記載の方法。
【請求項１３】
ビデオデータを復号するための装置であって、
複数のビューのうちの第１のビュー内のピクチャ内の領域に対する動きベクトルが、視差動きベクトルであるかどうかを決定するための手段と、前記領域が予測されるべき現在ブロックに隣接し、前記領域が１つ以上のブロックを含み、前記領域に対する前記動きベクトルが１つの参照ピクチャリストに対する前記１つ以上のブロックに対する単一の動きベクトルを表し、前記動きベクトルが第２の異なるビュー内のピクチャを指し示せば、前記領域に対する前記動きベクトルが前記視差動きベクトルであり、
予測されるべき前記現在ブロックに対する視差ベクトルを決定するための手段と、前記ピクチャ内の前記領域に対する前記動きベクトルが視差動きベクトルであるものと決定することに応答して、決定するための前記手段が前記領域に対する前記視差動きベクトルを前記現在ブロックに対する前記視差ベクトルとして設定する、
前記現在ブロックをインター予測復号するための手段とを備え、ここにおいて前記インター予測復号するための前記手段が、前記現在ブロックに対する決定された前記視差ベクトルを使用する、装置。
【請求項１４】
ビデオデータを符号化するための装置であって、
複数のビューのうちの第１のビュー内のピクチャ内の領域に対する動きベクトルが、視差動きベクトルであるかどうかを決定するための手段と、前記領域が予測されるべき現在ブロックに隣接し、前記領域が１つ以上のブロックを含み、前記領域に対する前記動きベクトルが１つの参照ピクチャリストに対する前記１つ以上のブロックに対する単一の動きベクトルを表し、前記動きベクトルが第２の異なるビュー内のピクチャを指し示せば、前記領域に対する前記動きベクトルが前記視差動きベクトルであり、
予測されるべき前記現在ブロックに対する視差ベクトルを決定するための手段と、前記ピクチャ内の前記領域に対する前記動きベクトルが視差動きベクトルであるものと決定することに応答して、決定するための前記手段が前記領域に対する前記視差動きベクトルを前記現在ブロックに対する前記視差ベクトルとして設定する、
前記現在ブロックをインター予測符号化するための手段とを備え、前記領域に対する前記視差動きベクトルが前記現在ブロックに対する前記視差ベクトルであるものと決定される場合、インター予測符号化するための前記手段が、前記現在ブロックに対する決定された前記視差ベクトルを使用する、装置。
【請求項１５】
実行されたとき請求項１〜１２のいずれか1項に従った前記方法を1つ以上のプロセッサに実行させる命令を記憶したコンピュータ可読記憶媒体。
【手続補正２】
【補正対象書類名】明細書
【補正対象項目名】０３０９
【補正方法】変更
【補正の内容】
【０３０９】
[0324]様々な例について説明した。これら及び他の例は以下の特許請求の範囲内に入る。
以下に本件出願当初の特許請求の範囲に記載された発明を付記する。
［１］  ビデオデータを復号するための方法であって、複数のビューのうちの第１のビュー内のピクチャ内の領域に対する動きベクトルが、視差動きベクトルであるかどうかを決定することと、前記領域が予測されるべき現在ブロックに隣接し、前記領域が１つ以上のブロックを含み、前記領域に対する前記動きベクトルが１つの参照ピクチャリストに対する前記１つ以上のブロックに対する単一の動きベクトルを表し、前記視差動きベクトルが第２の異なるビュー内のピクチャを指す、前記ピクチャ内の前記領域に対する前記動きベクトルが前記視差動きベクトルであるものと決定することに応答して、前記領域に対する前記視差動きベクトルが前記現在ブロックに対する視差ベクトルであるかどうかを決定することと、前記現在ブロックをインター予測復号することとを備え、前記領域に対する前記視差動きベクトルが前記現在ブロックに対する前記視差ベクトルであるものと決定される場合、前記復号することが、前記現在ブロックに対する前記視差ベクトルとして前記領域に対する前記視差動きベクトルを使用する、方法。
［２］  前記第１のビュー内の前記ピクチャ内の前記領域に対する前記動きベクトルが視差動きベクトルであるかどうかを決定することが、前記現在ブロックに空間的に隣接する、空間的隣接領域に対する前記動きベクトルが前記視差動きベクトルであるかどうかを決定することを備え、前記ピクチャが、前記空間的隣接領域を含み、前記現在ブロックを含む、［１］に記載の方法。
［３］  前記空間的隣接領域が、２つの４×４ブロックを含む１つの８×４領域を備える、［２］に記載の方法。
［４］  前記第１のビュー内の前記ピクチャ内の前記領域に対する前記動きベクトルが視差動きベクトルであるかどうかを決定することが、前記現在ブロックに時間的に隣接する、時間的隣接領域に対する前記動きベクトルが前記視差動きベクトルであるかどうかを決定することを備え、前記ピクチャが、前記時間的隣接領域を含み、前記現在ブロックを含まない、［１］に記載の方法。
［５］  前記時間的隣接領域が、１６の４×４ブロックを含む１つの１６×１６領域を備える、［４］に記載の方法。
［６］  前記領域に対する前記動きベクトルが、前記領域に隣接するブロックの視差動きベクトルから導出されるとき、前記領域が内在視差予測領域であるものと決定することと、前記領域が前記内在視差予測領域であるものと決定することに応答して、前記領域に隣接する前記ブロックの前記視差動きベクトルが、前記現在ブロックに対する前記視差ベクトルであるかどうかを決定することとを更に備え、前記領域に対する前記視差動きベクトルが前記現在ブロックに対する前記視差ベクトルでない場合、前記復号することが、前記領域に隣接する前記ブロックの前記視差動きベクトルが前記現在ブロックに対する前記視差ベクトルであるものと決定される場合、前記現在ブロックに対する前記視差ベクトルとして前記領域に隣接する前記ブロックに対する前記視差動きベクトルを使用する、［１］に記載の方法。
［７］  前記視差ベクトルが指すブロックを決定することと、前記視差ベクトルが指す前記ブロックに対する動きベクトルを決定することと、候補動きベクトル予測子のリストに、前記視差ベクトルが指す前記ブロックに対する前記動きベクトルを含めることとを更に備え、前記現在ブロックをインター予測復号することが、前記視差ベクトルが指す前記ブロックに対する前記動きベクトルがマージモード又は拡張型動きベクトル予測（ＡＭＶＰ）モードの一部分として候補動きベクトル予測子の前記リストから選択されるとき、前記視差ベクトルが指す前記ブロックに対する前記動きベクトルに基づいて前記現在ブロックをインター予測復号することを備える、［１］に記載の方法。
［８］  前記視差ベクトルが指すブロックを決定することを更に備え、前記現在ブロックをインター予測復号することが、前記現在ブロックの残差情報をインター予測するために、決定された前記ブロックの残差情報を使用することを備える、［１］に記載の方法。
［９］  前記視差動きベクトルを変更することと、前記現在ブロックに対する候補動きベクトル予測子のリストに、変更された前記視差動きベクトルを含めることとを更に備える、［１］に記載の方法。
［１０］  前記視差動きベクトルを変更することが、前記視差動きベクトルのｙ成分をゼロに等しく設定することを備える、［９］に記載の方法。
［１１］  前記現在ブロックが、瞬時デコーダリフレッシュ（ＩＤＲ）ピクチャ又はクリーンランダムアクセス（ＣＲＡ）ピクチャのブロックであり得る、［１］に記載の方法。
［１２］  ビデオデータを符号化するための方法であって、複数のビューのうちの第１のビュー内のピクチャ内の領域に対する動きベクトルが、視差動きベクトルであるかどうかを決定することと、前記領域が予測されるべき現在ブロックに隣接し、前記領域が１つ以上のブロックを含み、前記領域に対する前記動きベクトルが１つの参照ピクチャリストに対する前記１つ以上のブロックに対する単一の動きベクトルを表し、前記視差動きベクトルが第２の異なるビュー内のピクチャを指し示す、前記ピクチャ内の前記領域に対する前記動きベクトルが前記視差動きベクトルであるものと決定することに応答して、前記領域に対する前記視差動きベクトルが前記現在ブロックに対する視差ベクトルであるかどうかを決定することと、前記現在ブロックをインター予測復号することとを備え、前記領域に対する前記視差動きベクトルが前記現在ブロックに対する前記視差ベクトルであるものと決定される場合、前記符号化が、前記現在ブロックに対する前記視差ベクトルとして前記領域に対する前記視差動きベクトルを使用する、方法。
［１３］  前記第１のビュー内の前記ピクチャ内の前記領域に対する前記動きベクトルが視差動きベクトルであるかどうかを決定することが、前記現在ブロックに空間的に隣接する、空間的隣接領域に対する前記動きベクトルが前記視差動きベクトルであるかどうかを決定することを備え、前記ピクチャが、前記空間的隣接領域を含み、前記現在ブロックを含む、［１２］に記載の方法。
［１４］  前記空間的隣接領域が、２つの４×４ブロックを含む１つの８×４領域を備える、［１３］に記載の方法。
［１５］  前記第１のビュー内の前記ピクチャ内の前記領域に対する前記動きベクトルが視差動きベクトルであるかどうかを決定することが、前記現在ブロックに時間的に隣接する、時間的隣接領域に対する前記動きベクトルが前記視差動きベクトルであるかどうかを決定することを備え、前記ピクチャが、前記時間的隣接領域を含み、前記現在ブロックを含まない、［１２］に記載の方法。
［１６］  前記時間的隣接領域が、１６の４×４ブロックを含む１つの１６×１６領域を備える、［１５］に記載の方法。
［１７］  前記領域に対する前記動きベクトルが、前記領域に隣接するブロックの視差動きベクトルから導出されるとき、前記領域が内在視差予測領域であるものと決定することと、前記領域が前記内在視差予測領域であるものと決定することに応答して、前記領域に隣接する前記ブロックの前記視差動きベクトルが、前記現在ブロックに対する前記視差ベクトルであるかどうかを決定することとを更に備え、前記領域に対する前記視差動きベクトルが前記現在ブロックに対する前記視差ベクトルでない場合、前記符号化することが、前記領域に隣接する前記ブロックの前記視差動きベクトルが前記現在ブロックに対する前記視差ベクトルであるものと決定される場合、前記現在ブロックに対する前記視差ベクトルとして前記領域に隣接する前記ブロックに対する前記視差動きベクトルを使用する、［１２］に記載の方法。
［１８］  前記視差ベクトルが指し示すブロックを決定することを更に備え、前記現在ブロックをインター予測符号化することが、前記現在ブロックの残差情報をインター予測するために、決定された前記ブロックの残差情報を使用することを備える、［１２］に記載の方法。
［１９］  前記視差動きベクトルを変更することと、前記現在ブロックに対する候補動きベクトル予測子のリストに、変更された前記視差動きベクトルを含めることとを更に備える、［１２］に記載の方法。
［２０］  前記視差動きベクトルを変更することが、前記視差動きベクトルのｙ成分をゼロに等しく設定することを備える、［１９］に記載の方法。
［２１］  前記現在ブロックが、瞬時デコーダリフレッシュ（ＩＤＲ）ピクチャ又はクリーンランダムアクセス（ＣＲＡ）ピクチャの前記現在ブロックである、［１２］に記載の方法。
［２２］  ビデオデータを復号するための装置であって、複数のビューのうちの第１のビュー内のピクチャ内の領域に対する動きベクトルが、視差動きベクトルであるかどうかを決定することと、前記領域が予測されるべき現在ブロックに隣接し、前記領域が１つ以上のブロックを含み、前記領域に対する前記動きベクトルが１つの参照ピクチャリストに対する前記１つ以上のブロックに対する単一の動きベクトルを表し、前記視差動きベクトルが第２の異なるビュー内のピクチャを指し示す、前記ピクチャ内の前記領域に対する前記動きベクトルが前記視差動きベクトルであるものと決定することに応答して、前記領域に対する前記視差動きベクトルが前記現在ブロックに対する視差ベクトルであるかどうかを決定することと、前記現在ブロックをインター予測復号することとを行うように構成されたビデオデコーダを備え、前記現在ブロックを復号するために、前記領域に対する前記視差動きベクトルが前記現在ブロックに対する前記視差ベクトルであるものと決定される場合、前記ビデオデコーダが、前記現在ブロックに対する前記視差ベクトルとして前記領域に対する前記視差動きベクトルを使用する、装置。
［２３］  前記第１のビュー内の前記ピクチャ内の前記領域に対する前記動きベクトルが視差動きベクトルであるかどうかを決定するために、前記ビデオデコーダが、前記現在ブロックに空間的に隣接する、空間的隣接領域に対する前記動きベクトルが前記視差動きベクトルであるかどうかを決定するように構成され、前記ピクチャが、前記空間的隣接領域を含み、前記現在ブロックを含む、［２２］に記載の装置。
［２４］  前記空間的隣接領域が、２つの４×４ブロックを含む１つの８×４領域を備える、［２３］に記載の装置。
［２５］  前記第１のビュー内の前記ピクチャ内の前記領域に対する前記動きベクトルが視差動きベクトルであるかどうかを決定するために、前記ビデオデコーダが、前記現在ブロックに時間的に隣接する、時間的隣接領域に対する前記動きベクトルが前記視差動きベクトルであるかどうかを決定するように構成され、前記ピクチャが、前記時間的隣接領域を含み、前記現在ブロックを含まない、［２２］に記載の装置。
［２６］  前記時間的隣接領域が、１６の４×４ブロックを含む１つの１６×１６領域を備える、［２５］に記載の装置。
［２７］  前記ビデオデコーダが、前記領域に対する前記動きベクトルが、前記領域に隣接するブロックの視差動きベクトルから導出されるとき、前記領域が内在視差予測領域であるものと決定することと、前記領域が前記内在視差予測領域であるものと決定することに応答して、前記領域に隣接する前記ブロックの前記視差動きベクトルが、前記現在ブロックに対する前記視差ベクトルであるかどうかを決定することとを行うように構成され、前記領域に対する前記視差動きベクトルが前記現在ブロックに対する前記視差ベクトルでない場合、前記現在ブロックを復号するために、前記ビデオエンコーダが、前記領域に隣接する前記ブロックの前記視差動きベクトルが前記現在ブロックに対する前記視差ベクトルであるものと決定される場合、前記現在ブロックに対する前記視差ベクトルとして前記領域に隣接する前記ブロックに対する前記視差動きベクトルを使用する、［２２］に記載の装置。
［２８］  前記ビデオデコーダが、前記視差ベクトルが指し示すブロックを決定することと、前記視差ベクトルが指し示す前記ブロックに対する動きベクトルを決定することと、候補動きベクトル予測子のリストに、前記視差ベクトルが指し示す前記ブロックに対する前記動きベクトルを含めることとを行うように構成され、前記現在ブロックをインター予測復号するために、前記ビデオデコーダが、前記視差ベクトルが指し示す前記ブロックに対する前記動きベクトルがマージモード又は拡張型動きベクトル予測（ＡＭＶＰ）モードの一部分として候補動きベクトル予測子の前記リストから選択されるとき、前記視差ベクトルが指し示す前記ブロックに対する前記動きベクトルに基づいて前記現在ブロックをインター予測復号するように構成される、［２２］に記載の装置。
［２９］  前記ビデオデコーダが、前記視差ベクトルが指し示すブロックを決定するように構成され、前記現在ブロックをインター予測復号するために、前記ビデオデコーダが、前記現在ブロックの残差情報をインター予測するために、決定された前記ブロックの残差情報を使用するように構成される、［２２］に記載の装置。
［３０］  前記ビデオデコーダが、前記視差動きベクトルを変更することと、前記現在ブロックに対する候補動きベクトル予測子のリストに、変更された前記視差動きベクトルを含めることとを行うように構成される、［２２］に記載の装置。
［３１］  前記視差動きベクトルを変更するために、前記ビデオデコーダが、前記視差動きベクトルのｙ成分をゼロに等しく設定するように構成される、［３０］に記載の装置。
［３２］  前記現在ブロックが、瞬時デコーダリフレッシュ（ＩＤＲ）ピクチャ又はクリーンランダムアクセス（ＣＲＡ）ピクチャの前記現在ブロックである、［２２］に記載の装置。
［３３］  前記装置が、ワイヤレス通信装置と、マイクロプロセッサと、集積回路とのうちの１つを備える、［２２］に記載の装置。
［３４］  ビデオデータを符号化するための装置であって、複数のビューのうちの第１のビュー内のピクチャ内の領域に対する動きベクトルが、視差動きベクトルであるかどうかを決定することと、前記領域が予測されるべき現在ブロックに隣接し、前記領域が１つ以上のブロックを含み、前記領域に対する前記動きベクトルが１つの参照ピクチャリストに対する前記１つ以上のブロックに対する単一の動きベクトルを表し、前記視差動きベクトルが第２の異なるビュー内のピクチャを指し示す、前記ピクチャ内の前記領域に対する前記動きベクトルが前記視差動きベクトルであるものと決定することに応答して、前記領域に対する前記視差動きベクトルが前記現在ブロックに対する視差ベクトルであるかどうかを決定することと、前記現在ブロックをインター予測符号化することとを行うように構成されたビデオエンコーダを備え、前記現在ブロックを符号化するために、前記ビデオエンコーダが、前記領域に対する前記視差動きベクトルが前記現在ブロックに対する前記視差ベクトルであるものと決定される場合、前記現在ブロックに対する前記視差ベクトルとして前記領域に対する前記視差動きベクトルを使用する、装置。
［３５］  前記第１のビュー内の前記ピクチャ内の前記領域に対する前記動きベクトルが視差動きベクトルであるかどうかを決定するために、前記ビデオエンコーダが、前記現在ブロックに空間的に隣接する、空間的隣接領域に対する前記動きベクトルが前記視差動きベクトルであるかどうかを決定するように構成され、前記ピクチャが、前記空間的隣接領域を含み、前記現在ブロックを含む、［３４］に記載の装置。
［３６］  前記空間的隣接領域が、２つの４×４ブロックを含む１つの８×４領域を備える、［３５］に記載の装置。
［３７］  前記第１のビュー内の前記ピクチャ内の前記領域に対する前記動きベクトルが視差動きベクトルであるかどうかを決定するために、前記ビデオエンコーダが、前記現在ブロックに時間的に隣接する、時間的隣接領域に対する前記動きベクトルが前記視差動きベクトルであるかどうかを決定するように構成され、前記ピクチャが、前記時間的隣接領域を含み、前記現在ブロックを含まない、［３４］に記載の装置。
［３８］  前記時間的隣接領域が、１６の４×４ブロックを含む１つの１６×１６領域を備える、［３７］に記載の装置。
［３９］  前記ビデオエンコーダが、前記領域に対する前記動きベクトルが、前記領域に隣接するブロックの視差動きベクトルから導出されるとき、前記領域が内在視差予測領域であるものと決定することと、前記領域が前記内在視差予測領域であるものと決定することに応答して、前記領域に隣接する前記ブロックの前記視差動きベクトルが、前記現在ブロックに対する前記視差ベクトルであるかどうかを決定することとを行うように構成され、前記領域に対する前記視差動きベクトルが前記現在ブロックに対する前記視差ベクトルでない場合、前記現在ブロックを符号化するために、前記ビデオエンコーダが、前記領域に隣接する前記ブロックの前記視差動きベクトルが前記現在ブロックに対する前記視差ベクトルであるものと決定される場合、前記現在ブロックに対する前記視差ベクトルとして前記領域に隣接する前記ブロックに対する前記視差動きベクトルを使用する、［３４］に記載の装置。
［４０］  前記ビデオエンコーダが、前記視差ベクトルが指し示すブロックを決定するように構成され、前記現在ブロックをインター予測符号化するために、前記ビデオエンコーダが、前記現在ブロックの残差情報をインター予測するために、決定された前記ブロックの残差情報を使用するように構成される、［３４］に記載の装置。
［４１］  前記ビデオエンコーダが、前記視差動きベクトルを変更することと、前記現在ブロックに対する候補動きベクトル予測子のリストに、前記変更された視差動きベクトルを含めることとを行うように構成される、［３４］に記載の装置。
［４２］  前記視差動きベクトルを変更するために、前記ビデオエンコーダが、前記視差動きベクトルのｙ成分をゼロに等しく設定するように構成される、［４１］に記載の装置。
［４３］  前記現在ブロックが、瞬時デコーダリフレッシュ（ＩＤＲ）ピクチャ又はクリーンランダムアクセス（ＣＲＡ）ピクチャの前記現在ブロックである、［３４］に記載の装置。
［４４］  ビデオデータを復号するための装置であって、複数のビューのうちの第１のビュー内のピクチャ内の領域に対する動きベクトルが、視差動きベクトルであるかどうかを決定するための手段と、前記領域が予測されるべき現在ブロックに隣接し、前記領域が１つ以上のブロックを含み、前記領域に対する前記動きベクトルが１つの参照ピクチャリストに対する前記１つ以上のブロックに対する単一の動きベクトルを表し、前記視差動きベクトルが第２の異なるビュー内のピクチャを指し示す、前記ピクチャ内の前記領域に対する前記動きベクトルが前記視差動きベクトルであるものと決定することに応答して、前記領域に対する前記視差動きベクトルが前記現在ブロックに対する視差ベクトルであるかどうかを決定するための手段と、前記現在ブロックをインター予測復号するための手段とを備え、前記領域に対する前記視差動きベクトルが前記現在ブロックに対する前記視差ベクトルであるものと決定される場合、前記インター予測復号するための前記手段が、前記現在ブロックに対する前記視差ベクトルとして前記領域に対する前記視差動きベクトルを使用する、装置。
［４５］  前記第１のビュー内の前記ピクチャ内の前記領域に対する前記動きベクトルが視差動きベクトルであるかどうかを決定するための前記手段が、前記現在ブロックに空間的に隣接する、空間的隣接領域に対する前記動きベクトルが前記視差動きベクトルであるかどうかを決定するための手段を備え、前記ピクチャが、前記空間的隣接領域を含み、前記現在ブロックを含む、［４４］に記載の装置。
［４６］  前記空間的隣接領域が、２つの４×４ブロックを含む１つの８×４領域を備える、［４５］に記載の装置。
［４７］  前記第１のビュー内の前記ピクチャ内の前記領域に対する前記動きベクトルが視差動きベクトルであるかどうかを決定するための前記手段が、前記現在ブロックに時間的に隣接する、時間的隣接領域に対する前記動きベクトルが前記視差動きベクトルであるかどうかを決定するための手段を備え、前記ピクチャが、前記時間的隣接領域を含み、前記現在ブロックを含まない、［４４］に記載の装置。
［４８］  前記時間的隣接領域が、１６の４×４ブロックを含む１つの１６×１６領域を備える、［４７］に記載の装置。
［４９］  ビデオデータを符号化するための装置であって、複数のビューのうちの第１のビュー内のピクチャ内の領域に対する動きベクトルが、視差動きベクトルであるかどうかを決定するための手段と、前記領域が予測されるべき現在ブロックに隣接し、前記領域が１つ以上のブロックを含み、前記領域に対する前記動きベクトルが１つの参照ピクチャリストに対する前記１つ以上のブロックに対する単一の動きベクトルを表し、前記視差動きベクトルが第２の異なるビュー内のピクチャを指し示す、前記ピクチャ内の前記領域に対する前記動きベクトルが前記視差動きベクトルであるものと決定することに応答して、前記領域に対する前記視差動きベクトルが前記現在ブロックに対する視差ベクトルであるかどうかを決定するための手段と、前記現在ブロックをインター予測符号化するための手段とを備え、前記領域に対する前記視差動きベクトルが前記現在ブロックに対する前記視差ベクトルであるものと決定される場合、インター予測符号化するための前記手段が、前記現在ブロックに対する前記視差ベクトルとして前記領域に対する前記視差動きベクトルを使用する、装置。
［５０］  前記第１のビュー内の前記ピクチャ内の前記領域に対する前記動きベクトルが視差動きベクトルであるかどうかを決定するための前記手段が、前記現在ブロックに空間的に隣接する、空間的隣接領域に対する前記動きベクトルが前記視差動きベクトルであるかどうかを決定するための手段を備え、前記ピクチャが、前記空間的隣接領域を含み、前記現在ブロックを含む、［４９］に記載の装置。
［５１］  前記空間的隣接領域が、２つの４×４ブロックを含む１つの８×４領域を備える、［５０］に記載の装置。
［５２］  前記第１のビュー内の前記ピクチャ内の前記領域に対する前記動きベクトルが視差動きベクトルであるかどうかを決定することが、前記現在ブロックに時間的に隣接する、時間的隣接領域に対する前記動きベクトルが前記視差動きベクトルであるかどうかを決定することを備え、前記ピクチャが、前記時間的隣接領域を含み、前記現在ブロックを含まない、［４９］に記載の装置。
［５３］  前記時間的隣接領域が、１６の４×４ブロックを含む１つの１６×１６領域を備える、［５２］に記載の装置。
［５４］  命令を記憶されたコンピュータ可読記憶媒体であって、前記命令が、実行されると１つ以上のプロセッサに、複数のビューのうちの第１のビュー内のピクチャ内の領域に対する動きベクトルが、視差動きベクトルであるかどうかを決定することと、前記領域が予測されるべき現在ブロックに隣接し、前記領域が１つ以上のブロックを含み、前記領域に対する前記動きベクトルが１つの参照ピクチャリストに対する前記１つ以上のブロックに対する単一の動きベクトルを表し、前記視差動きベクトルが第２の異なるビュー内のピクチャを指し示す、前記ピクチャ内の前記領域に対する前記動きベクトルが前記視差動きベクトルであるものと決定することに応答して、前記領域に対する前記視差動きベクトルが前記現在ブロックに対する視差ベクトルであるかどうかを決定することと、前記現在ブロックをインター予測復号することとを行わせ、前記１つ以上のプロセッサに復号させる前記命令が、前記領域に対する前記視差動きベクトルが前記現在ブロックに対する前記視差ベクトルであるものと決定される場合、前記１つ以上のプロセッサに、前記現在ブロックに対する前記視差ベクトルとして前記領域に対する前記視差動きベクトルを使用させる命令を備える、コンピュータ可読記憶媒体。
［５５］  命令を記憶されたコンピュータ可読記憶媒体であって、前記命令が、実行されると１つ以上のプロセッサに、複数のビューのうちの第１のビュー内のピクチャ内の領域に対する動きベクトルが、視差動きベクトルであるかどうかを決定することと、前記領域が予測されるべき現在ブロックに隣接し、前記領域が１つ以上のブロックを含み、前記領域に対する前記動きベクトルが１つの参照ピクチャリストに対する前記１つ以上のブロックに対する単一の動きベクトルを表し、前記視差動きベクトルが第２の異なるビュー内のピクチャを指し示す、前記ピクチャ内の前記領域に対する前記動きベクトルが前記視差動きベクトルであるものと決定することに応答して、前記領域に対する前記視差動きベクトルが前記現在ブロックに対する視差ベクトルであるかどうかを決定することと、前記現在ブロックをインター予測符号化することとを行わせ、前記１つ以上のプロセッサに符号化させる前記命令が、前記領域に対する前記視差動きベクトルが前記現在ブロックに対する前記視差ベクトルであるものと決定される場合、前記１つ以上のプロセッサに、前記現在ブロックに対する前記視差ベクトルとして前記領域に対する前記視差動きベクトルを使用させる命令を備える、コンピュータ可読記憶媒体。